(57)【要約】【課題】カートンの蓋を開放状態に保持し、内容物を取り出しやすくする。【解決手段】底パネル（１）の一辺に下折り曲げ線（２）を介して連接される側壁パネル（３）と、側壁パネルの一辺に上折り曲げ線（４）を介して連接される蓋パネル（５）とを含んでなるカートンにおいて、上折り曲げ線が円弧状に形成される。蓋パネルを開いて側壁パネルの延長面となるように起立させると、円弧状の上折り曲げ線の作用により側壁パネルから蓋パネルにかけてそれらの内面側に向って突出する凸状湾曲面が形成される結果、蓋パネルが側壁パネルとの間における上折り曲げ線の折り癖に打ち勝って起立する。【選択図】図３
2009046160.tif 000002
【特許請求の範囲】
【請求項１】
底パネルの一辺に下折り曲げ線を介して連接される側壁パネルと、側壁パネルの一辺に上折り曲げ線を介して連接される蓋パネルとを含んでなるカートンにおいて、上折り曲げ線が曲線又は折れ線に形成されたことを特徴とするカートン。
【請求項２】
底パネルの一辺に下折り曲げ線を介して連接される側壁パネルと、側壁パネルの一辺に上折り曲げ線を介して連接される蓋パネルとを含んでなるカートンにおいて、下折り曲げ線が曲線又は折れ線に形成されたことを特徴とするカートン。
【請求項３】
底パネルの一辺に下折り曲げ線を介して連接される側壁パネルと、側壁パネルの一辺に上折り曲げ線を介して連接される蓋パネルとを含んでなるカートンにおいて、上折り曲げ線と下折り曲げ線の双方が曲線又は折れ線に形成されたことを特徴とするカートン。
【請求項４】
請求項１乃至請求項３のいずれかに記載のカートンにおいて、癖折り線が上折り曲げ線を横切るように側壁パネルから蓋パネルに向って伸びていることを特徴とするカートン。
【発明の詳細な説明】
【技術分野】
【０００１】
本発明は、蓋パネルを開状態に保持することができるカートンに関する。
【背景技術】
【０００２】
従来、底パネルの一辺に下折り曲げ線を介して連接される側壁パネルと、側壁パネルの一辺に上折り曲げ線を介して連接される蓋パネルとを含んでなるカートンが知られている。上折り曲げ線を支点にして蓋パネルを回動させることで、カートンの開口を開いたり閉じたりすることができる（例えば、特許文献１参照。）。
【０００３】
【特許文献１】特開平１０−３５６５４号公報
【発明の開示】
【発明が解決しようとする課題】
【０００４】
上記カートンにおいては蓋パネルが側壁パネルに単なる直線状の折り曲げ線を介して接合されているにすぎないので、開封後に蓋パネルが折り曲げ線の折癖によって元の位置に戻り開口部を閉じてしまうという問題がある。すなわち、内容物を取り出すたびに、蓋パネルを開けなければならず、使用者にとって煩わしい。また、箱の中身等を常時箱外から見ることができるようにしたい場合があるが、従来の蓋パネルは直ちに元の位置に折れ曲がってしまうので、そのような要望に応えることができないという問題もある。
【０００５】
本発明は、上記諸問題点を解決することができるカートンを提供することを目的とする。
【課題を解決するための手段】
【０００６】
上記課題を解決するため、本発明は次のような構成を採用する。
【０００７】
すなわち、請求項１に係る発明は、底パネル（１）の一辺に下折り曲げ線（２）を介して連接される側壁パネル（３）と、側壁パネル（３）の一辺に上折り曲げ線（４）を介して連接される蓋パネル（５）とを含んでなるカートンにおいて、上折り曲げ線（４）が曲線又は折れ線に形成されたことを特徴とする。
【０００８】
また、請求項２に係る発明は、底パネル（１）の一辺に下折り曲げ線（２８）を介して連接される側壁パネル（３）と、側壁パネル（３）の一辺に上折り曲げ線（２９）を介して連接される蓋パネル（５）とを含んでなるカートンにおいて、下折り曲げ線（２８）が曲線又は折れ線に形成されたことを特徴とする。
【０００９】
また、請求項３に係る発明は、底パネル（１）の一辺に下折り曲げ線（２８）を介して連接される側壁パネル（３）と、側壁パネル（３）の一辺に上折り曲げ線（２９）を介して連接される蓋パネル（５）とを含んでなるカートンにおいて、上折り曲げ線（２９）と下折り曲げ線（２８）の双方が曲線又は折れ線に形成されたことを特徴とする。
【００１０】
また、請求項４に係る発明は、請求項１乃至請求項３のいずれかに記載のカートンにおいて、癖折り線（１６ａ、１６ｂ，１６ｃ，３０ａ，３０ｂ，３０ｃ）が上折り曲げ線（４，２９）を横切るように側壁パネル（３）から蓋パネル（５）に向って伸びていることを特徴とする。
【発明の効果】
【００１１】
本発明によれば、蓋パネル（５）を開いて側壁パネル（３）の延長面となるように起立させると、曲線又は折れ線からなる上折り曲げ線（４，２９）と下折り曲げ線（２，２８）の一方又は双方の作用により側壁パネル（３）から蓋パネル（５）にかけてそれらの内面側に向って突出する凸状湾曲面が形成される結果、蓋パネル（５）が側壁パネル（３）との間における上折り曲げ線（４，２９）の折り癖に打ち勝って起立する。したがって、例えば蓋パネル（５）を開放状態にして内容物（Ａ）を取り出しやすくすることができ、あるいは箱内部を常時視認可能にすることができる。
【発明を実施するための最良の形態】
【００１２】
次に、本発明の実施の形態について図面を参照して説明する。
【００１３】
＜実施の形態１＞
図１乃至図５に示すように、このカートンは、底パネル１の一辺に下折り曲げ線２を介して連接される後側の側壁パネル３と、後側の側壁パネル３の一辺に上折り曲げ線４を介して連接される蓋パネル５とを含んでなるもので、概ね直方体の箱として構成される。
【００１４】
底パネル１と蓋パネル５は略同形同大の長方形に形成され、後側の側壁パネル３は蓋パネル５と底パネル１との間に細長い長方形となって伸びるように形成される。
【００１５】
カートンは、上記底パネル１、後側の側壁パネル３、蓋パネル５のほか、他のパネルとして後側の側壁パネル３と共に箱の周壁を形成する前側の側壁パネル６、左右の側壁パネル７，８を備える。前側の側壁パネル６は折り曲げ線２２を介し底パネル１の一辺に連接され、左右の側壁パネル７，８は折り曲げ線２３ａ，２３ｂを介して底パネル１の左右辺にそれぞれ連接される。
【００１６】
蓋パネル５の先端には、折り曲げ線９を介して重畳パネル１０が連接される。重畳パネル１０の折り曲げ線９とは反対側の開放縁側の左右部分は接着部１０ａ，１０ｂとされ、これらの接着部１０ａ，１０ｂが前側の側壁パネル６の外面に接着剤により貼着される。重畳パネル１０には、その開放縁の二箇所からそれぞれ左右の接着部１０ａ，１０ｂを迂回し重畳パネル１０の左右縁に交差するように二本の切裂き線１１ａ，１１ｂが形成され、二本の切裂き線１１ａ，１１ｂと開放縁とで挟まれる箇所がロック片１０ｃとされる。ロック片１０ｃの先端に指を掛けて前側の側壁パネル６から引き剥がすようにすると、二本の切裂き線１１ａ，１１ｂで重畳パネル１０が破断し、ロック片１０ｃが切り出される。
【００１７】
蓋パネル５の左右には、それぞれ折り曲げ線１２，１３を介して翼パネル１４ａ，１４ｂが連接される。左右の翼パネル１４ａ，１４ｂは左右の側壁パネル７，８の外面にそれぞれ接着剤により貼着される。翼パネル１４ａ，１４ｂと蓋パネル５との境界の折り曲げ線１２，１３上にはそれぞれ切裂き線１２ａ，１３ａが形成される。上記ロック片１０ｃを切り出す際に重畳パネル１０上の二本の切裂き線１１ａ，１１ｂを破断させ、そのままロック片１０ｃを蓋パネル５上へと持ち上げるようにすると、翼パネル１４ａ，１４ｂと蓋パネル５との境界の切裂き線１２ａ，１３ａにも破断が及んで蓋パネル５が側壁パネル７，８から解放され開口可能となる。前側の側壁パネル６にはロック片１０ｃに対応して切り込み１５が形成され、ロック片１０ｃをこの切り込み１５に差し込むことで一旦開いた蓋パネル５を再び閉位置に保持することができる。
【００１８】
図１及び図２に示すように、蓋パネル５と後側の側壁パネル３との境界の上折り曲げ線４は、後側の側壁パネル３内に突出するごとく湾曲する円弧状の曲線に形成される。これにより、蓋パネル５を開いて後側の側壁パネル３の延長面となるように起立させると、図５に示すように、円弧状の上折り曲げ線４の作用により後側の側壁パネル３から蓋パネル５にかけてそれらの内面側に突出する凸状湾曲面が形成され、この結果、蓋パネル５が上折り曲げ線４の折り癖に打ち勝って後側の側壁パネル３の上方に起立する。したがって、蓋パネル５を開放状態にして内容物Ａを取り出しやすくすることができ、また、内容物Ａを常時視認可能にすることができる。
【００１９】
図１乃至図４に示すように、必要に応じて癖折り線１６ａ，１６ｂ，１６ｃが後側の側壁パネル３から蓋パネル５に向って伸びるように形成される。癖折り線１６ａ，１６ｂ，１６ｃは望ましくは複数本形成される。この実施の形態１では中央とその左右両側の三本の癖折り線１６ａ，１６ｂ，１６ｃが設けられ、中央の癖折り線１６ａは上折り曲げ線４の中央を上折り曲げ線４に直交して伸び、他の二本の癖折り線１６ｂ，１６ｃはそれぞれ上折り曲げ線４に交差する箇所で中央の癖折り線１６ａに最も接近し、両端に向うにつれて中央の癖折り線１６ａから徐々に遠ざかるように形成される。これらの癖折り線１６ａ，１６ｂ，１６ｃ上で後側の側壁パネル３及び蓋パネル５がそれらの内面側に向って湾曲するように癖折りされることで、蓋パネル５は開いたときに、より確実に起立状態を維持する。
【００２０】
ここで、上記カートンを構成するブランクの一例について説明する。
【００２１】
図６に示すように、このカートンのブランクにおいては、前側の側壁パネル６、底パネル１、後側の側壁パネル３、蓋パネル５及び重畳パネル１０が、各折り曲げ線２２，２，４，９を介して一方向に連接される。各種折り曲げ線２２，２，４，９のうち後側の側壁パネル３と蓋パネル５との間における上折り曲げ線４は、後側の側壁パネル３の内方へと回り込む円弧状に形成される。
【００２２】
底パネル１の左右両側には、それぞれ折り曲げ線２３ａ，２３ｂを介して左右の側壁パネル７，８が連接される。
【００２３】
後側の側壁パネル３及び重畳パネル１０の各々の左右両側には、それぞれ折り曲げ線２４ａ，２４ｂ，２５ａ，２５ｂを介して折込み片２６ａ，２６ｂ，２７ａ，２７ｂが連接される。
【００２４】
重畳パネル１０には切裂き線１１ａ，１１ｂによりロック片１０ｃと左右の接着部１０ａ，１０ｂが形成される。この切裂き線１１ａ，１１ｂは重畳パネル１０と折込み片２７ａ，１７ｂとの境界の折り曲げ線２５ａ，２５ｂ上を蓋パネル５側へと伸びる。また、蓋パネル５と翼パネル１４ａ，１４ｂとの境界の折り曲げ線１２，１３上にも切裂き線１２ａ，１３ａが形成される。さらに、癖折り線１６ａ，１６ｂ，１６ｃが、後側の側壁パネル３から蓋パネル５に向って伸びるように所定本数形成される。
【００２５】
このブランクは例えば次のような手順で箱型に組み立てられる。
【００２６】
前側の側壁パネル６、底パネル１、後側の側壁パネル３、蓋パネル５及び重畳パネル１０を各種折り曲げ線２２，２，４，１３上で山折りして筒型に巻回し、重畳パネル１０の接着部１０ａ，１０ｂを前側の側壁パネル６の外面に接着する。
【００２７】
また、折込み片２６ａ，２６ｂ，２７ａ，２７ｂと左右の側壁パネル７，８を折り曲げ線２４ａ,２４ｂ，２５ａ，２５ｂ，２３ａ，２３ｂ上で折り曲げ、折込み片２６ａ，２６ｂ，２７ａ，２７ｂの外面を左右の側壁パネル７，８の内面に接着し、さらに左右の翼パネル１４ａ，１４ｂの内面を左右の側壁パネル７，８の外面に接着する。これにより、カートンが箱として閉じられる。
【００２８】
なお、所望のパネルを接着してカートンを閉じる前に内容物Ａを箱内に充填する。
【００２９】
次に、上記構成のカートンの作用について説明する。
【００３０】
図１に示す状態のカートンにおいて、ロック片１０ｃの先端に指を掛けて前側の側壁パネル６から引き剥がすようにすると、二本の切裂き線１１ａ，１１ｂ上で重畳パネル１０が破断し、ロック片１０ｃが切り出される。
【００３１】
ロック片１０ｃをそのまま蓋パネル５上へと持ち上げるようにすると、翼パネル１４ａ，１４ｂと蓋パネル５との境界の切裂き線１２ａ，１３ａにも破断が及んで蓋パネル５が側壁パネル７，８及び左右の翼パネル１４ａ，１４ｂから解放される。これにより、蓋パネル５の跡に開口が形成され、内容物Ａの取り出しが可能になる。
【００３２】
カートンを再度閉じる場合は、蓋パネル５を上折り曲げ線４上で折り曲げ、ロック片１０ｃを前側の側壁パネル６の切り込み１５に差し込めばよく、これにより蓋パネル５は閉位置に保持される。
【００３３】
また、蓋パネル５を開いた状態に保持するには、蓋パネル５を開いて後側の側壁パネル３の延長面となるように起立させたときに、上折り曲げ線４の中央部を蓋パネル５の外面から内面に向って少しばかり押圧すればよい。これにより、図５に示すように、円弧状の上折り曲げ線４の作用で後側の側壁パネル３から蓋パネル５にかけてそれらの内面側に突出する凸状湾曲面が形成され、この結果、蓋パネル５が後側の側壁パネル３に対し、上折り曲げ線４の折り癖に打ち勝って起立する。このように、蓋パネル５が起立し開放状態に保持されることから、内容物Ａを取り出しやすくなり、また、内容物Ａの存否を常時確認することができる。
【００３４】
また、この蓋パネル５の開状態は、癖折り線１６ａ，１６ｂ，１６ｃ上で後側の側壁パネル３及び蓋パネル５がそれらの内面側に癖折りされることでより確実に維持される。
【００３５】
＜実施の形態２＞
図７乃至図１２に示すように、このカートンは、実施の形態１のカートンと異なり、底パネル１と後側の側壁パネル３との境界の下折り曲げ線２８が、底パネル１内に凸型に突出する円弧状の曲線に形成され、上折り曲げ線２９が直線状に形成される。
【００３６】
これにより、蓋パネル５を開いて後側の側壁パネル３の延長面となるように起立させると、図１１に示すように、円弧状の下折り曲げ線２８の作用により後側の側壁パネル３から蓋パネル５にかけてそれらの内面側に突出する凸状湾曲面が形成され。この結果、蓋パネル５が後側の側壁パネル３上で上折り曲げ線２９の折り癖に打ち勝って起立し、カートンを開放状態にして内容物Ａを取り出しやすくする。また、内容物を常時視認可能にする。
【００３７】
また、必要に応じて癖折り線３０ａ，３０ｂ，３０ｃが設けられる。癖折り線３０ａ，３０ｂ，３０ｃは、後側の側壁パネル３から上折り曲げ線２９を横切り蓋パネル５に向って伸びるように複数本形成される。この実施の形態２では中央とその左右両側の三本の癖折り線３０ａ，３０ｂ，３０ｃが設けられ、中央の癖折り線３０ａは上折り曲げ線２９の中央を上折り曲げ線２９に直交して伸び、他の二本の癖折り線３０ｂ，３０ｃはそれぞれ後側の側壁パネル３上から蓋パネル５上に向って中央の癖折り線３０ａに徐々に近づくように伸びる。これらの癖折り線３０ａ，３０ｂ，３０ｃ上で後側の側壁パネル３及び蓋パネル５がそれらの内面側に湾曲するように癖折りされることで、蓋パネル５は開いたとき、より確実に起立状態を維持する。
【００３８】
ここで、上記カートンを構成するブランクの一例について説明する。
【００３９】
図１２に示すように、このカートンのブランクにおいては、前側の側壁パネル６、底パネル１、後側の側壁パネル３、蓋パネル５及び重畳パネル１０が、各種折り曲げ線２２，２８，２９，１３を介して一方向に連接される。各種折り曲げ線２２，２８，２９，１３のうち後側の側壁パネル３と底パネル１との間における下折り曲げ線２８は、底パネル１の内方へと回り込む円弧として形成される。また、後側の側壁パネル３と蓋パネル５との間における上折り曲げ線２９は直線として形成される。
【００４０】
後側の側壁パネル３と蓋パネル５には、上折り曲げ線２９を横切り両者間を跨ぐように伸びる癖折り線３０ａ，３０ｂ，３０ｃが所定本数形成される。
【００４１】
底パネル１の左右両側には、それぞれ折り曲げ線２３ａ，２３ｂを介して左右の側壁パネル７，８が連接され、蓋パネル５の左右両側には、それぞれ折り曲げ線１２，１３を介して左右の翼パネル１４ａ，１４ｂが連接され、後側の側壁パネル３及び重畳パネル１０の各々の左右両側には、それぞれ折り曲げ線２４ａ，２４ｂ，２５ａ，２５ｂを介して折込み片２６ａ，２６ｂ，２７ａ，２７ｂが連接される。
【００４２】
重畳パネル１０には切裂き線１１ａ，１１ｂによりロック片１０ｃと左右の接着部１０ａ，１０ｂが形成される。この切裂き線１１ａ，１１ｂは重畳パネル１０と折込み片２７ａ，２７ｂとの境界の折り曲げ線２５ａ，２５ｂ上を蓋パネル５側へと伸びる。また、蓋パネル５と翼パネル１４ａ，１４ｂとの境界の折り曲げ線１２，１３上にも切裂き線１２ａ，１３ａが形成される。
【００４３】
このブランクは例えば次のような手順で箱型に組み立てられる。
【００４４】
前側の側壁パネル６、底パネル１、後側の側壁パネル３、蓋パネル５及び重畳パネル１０を各種折り曲げ線２２，２８，２９，１３上で山折りして筒型に巻回し、重畳パネル１０の接着部１０ａ，１０ｂの内面を前側の側壁パネル６の外面に接着する。
【００４５】
また、折込み片２６ａ，２６ｂ，２７ａ，２７ｂと左右の側壁パネル７，８を折り曲げ線２４ａ,２４ｂ，２５ａ，２５ｂ，２３ａ，２３ｂ上で折り曲げ、折込み片２６ａ，２６ｂ，２７ａ，２７ｂの外面を左右の側壁パネル７，８の内面に接着し、さらに左右の翼パネル１４ａ，１４ｂの内面を左右の側壁パネル７，８の外面に接着する。これにより、箱が閉じられる。
【００４６】
なお、所望のパネルを接着してカートンを閉じる前に、内容物Ａが箱内に充填される。
【００４７】
次に、上記構成のカートンの作用について説明する。
【００４８】
図７に示す状態のカートンにおいて、ロック片１０ｃの先端に指を掛けて前側の側壁パネル６から引き剥がすようにすると、二本の切裂き線１１ａ，１１ｂ上で重畳パネル１０が破断し、ロック片１０ｃが切り出される。
【００４９】
ロック片１０ｃをそのまま蓋パネル５上へと持ち上げるようにすると、翼パネル１４ａ，１４ｂと蓋パネル５との境界の切裂き線１２ａ，１３ａにも破断が及んで蓋パネル５が側壁パネル７，８及び翼パネル１４ａ，１４ｂから解放される。これにより、蓋パネル５の跡に開口が形成され、内容物Ａの取り出しが可能になる。
【００５０】
カートンを再度閉じる場合は、蓋パネル５を上折り曲げ線２９上で折り曲げ、ロック片１０ｃを前側の側壁パネル６の切り込み１５に差し込めばよく、これにより蓋パネル５は閉位置に保持される。
【００５１】
また、蓋パネル５を開いた状態に保持するには、蓋パネル５を開いて後側の側壁パネル３の延長面となるように起立させたときに、上折り曲げ線２９の中央部を蓋パネル５の外面から内面に向って少しばかり押圧すればよい。これにより、図９乃至図１１に示すように、円弧状の下折り曲げ線２８の作用で後側の側壁パネル３から蓋パネル５にかけてそれらの内面側に突出する凸状湾曲面が形成され、この結果、蓋パネル５が後側の側壁パネル３に対し、上折り曲げ線２９の折り癖に打ち勝って起立する。このように、蓋パネル５が起立し開放状態に保持されることから、内容物Ａを取り出しやすくなり、また、内容物Ａを常時視認することができる。
【００５２】
また、この蓋パネル５の開状態は、癖折り線３０ａ，３０ｂ，３０ｃ上で後側の側壁パネル３及び蓋パネル５がそれらの内面側に湾曲するように癖折りされることでより確実に保持される。
【００５３】
なお、図７乃至図１２において、図１乃至図６に示す部分と同じ部分には同一符号を用いて示し、重複した説明を省略することとする。
【００５４】
＜実施の形態３＞
図１３に示すように、このカートンは、実施の形態１、２のカートンと異なり、底パネル１と後側の側壁パネル３との境界の下折り曲げ線２８が、底パネル１内に凸型に突出する円弧状の曲線に形成され、さらに上折り曲げ線４も同様な曲線に形成される。
【００５５】
これにより、蓋パネル５を開いて後側の側壁パネル３の延長面となるように起立させると、図５及び図１１に示したと同様に、円弧状の下折り曲げ線２８の作用により後側の側壁パネル３から蓋パネル５にかけてそれらの内面側に突出する凸状湾曲面が形成され。この結果、蓋パネル５が後側の側壁パネル３上で上折り曲げ線４の折り癖に打ち勝って起立し、カートンを開放状態にして内容物Ａを取り出しやすくする。また、内容物を常時視認可能にする。
【００５６】
なお、図１３において、実施の形態１，２に示した部分と同じ部分には同一符号を用いて示し、重複した説明を省略することとする。
【００５７】
本発明は以上説明したように構成されるが、上記実施の形態１〜３に限定されるものではなく、例えば上記実施の形態１、３では上折り曲げ線が後側の側壁パネル側に突出するごとく湾曲しているが、蓋パネル側に突出するごとく湾曲するものであってもよく、また、上記実施の形態２、３では下折り曲げ線が底パネル側に突出するごとく湾曲しているが、後側の側壁パネル側に突出するごとく湾曲するものであってもよい。また、上折り曲げ線や下折り曲げ線は蓋パネルが元の位置に戻らないようにする形状であれば良く、曲線も単一の曲率の円弧であってもよいし、曲率の異なる複数種の円弧が連なったものであってもよい。また、Ｖ字状、カギ状等種々の長さおよび方向をもった線分を順次接続して得られるような折れ線であってもよい。また、実施の形態１〜３では癖折り線が一定の曲率の円弧で形成されているが、各種曲率の円弧の組み合わせで形成してもよいし、一部のみを円弧にし他を直線で形成してもよいし、折れ線で形成してもよい。
【図面の簡単な説明】
【００５８】
【図１】本発明の実施の形態１に係るカートンを前側から見た斜視図である
【図２】本発明の実施の形態１に係るカートンを後側から見た斜視図である
【図３】本発明の実施の形態１に係るカートンを開封後に前側から見た斜視図である。
【図４】本発明の実施の形態１に係るカートンを開封後に後側から見た斜視図である。
【図５】図３中、Ｖ−Ｖ線矢視断面図である。
【図６】本発明の実施の形態１に係るカートンのブランク図である。
【図７】本発明の実施の形態２に係るカートンを前側から見た斜視図である
【図８】本発明の実施の形態２に係るカートンを後側から見た斜視図である
【図９】本発明の実施の形態２に係るカートンを開封後に前側から見た斜視図である。
【図１０】本発明の実施の形態２に係るカートンを開封後に後側から見た斜視図である。
【図１１】図９中、ＸＩ−ＸＩ線矢視断面図である。
【図１２】本発明の実施の形態２に係るカートンのブランク図である。
【図１３】本発明の実施の形態３に係るカートンのブランク図である。
【符号の説明】
【００５９】
１…底パネル
２，２８…下折り曲げ線
３…側壁パネル
４，２９…上折り曲げ線
５…蓋パネル
１６ａ、１６ｂ，１６ｃ，３０ａ，３０ｂ，３０ｃ…癖折り線
【図１】
2009046160.tif 000003
【図２】
2009046160.tif 000004
【図３】
2009046160.tif 000005
【図４】
2009046160.tif 000006
【図５】
2009046160.tif 000007
【図６】
2009046160.tif 000008
【図７】
2009046160.tif 000009
【図８】
2009046160.tif 000010
【図９】
2009046160.tif 000011
【図１０】
2009046160.tif 000012
【図１１】
2009046160.tif 000013
【図１２】
2009046160.tif 000014
【図１３】
2009046160.tif 000015